(57)【要約】【課題】  同じ色を二度転写させる場合に、印画濃度が高い高画質な画像記録が得られるとともに、例えば、画像のエッジ部分での過度な強調等の、過度な画像処理の回避を可能にした印刷装置を提供することを目的とする。【解決手段】  用紙に対して、同じ画像データに基づくインクの転写を、同じ色のインクについて少なくとも２回以上行う場合に、２回目以降の転写の際には、画像データに対して１回目の転写の際と異なる画像処理パラメータを用いて画像処理手段により画像処理を行うように制御する。【選択図】  図１
2015074092.tif 000002
【特許請求の範囲】
【請求項１】
画像データに基づいて、インクリボンに塗布されたインクを用紙に転写させることにより画像を印刷する印刷装置であって、
画像データに対して、画像データのエッジ部分を強調するためのエッジ強調処理を含む画像処理を行う画像処理手段と、
前記画像処理手段により画像処理が施された画像データに基づいて、インクリボンに塗布されたインクを用紙に転写させるサーマルヘッドと、
前記用紙に対して、同じ画像データに基づくインクの転写を、同じ色のインクについて少なくとも２回以上行う場合に、２回目以降の転写の際には、前記画像データに対して１回目の転写の際と異なる画像処理パラメータを用いて前記画像処理手段により画像処理を行うように制御する制御手段と、を有することを特徴とする印刷装置。
【請求項２】
前記制御手段は、１回目の転写の際には、前記画像処理手段により第１のエッジ強調処理を行うように制御し、２回目の転写の際には、前記画像処理手段により、第１のエッジ強調処理とは異なる第２のエッジ強調処理を行うように制御することを特徴とする請求項１に記載の印刷装置。
【請求項３】
前記第１のエッジ強調処理は、前記第２のエッジ強調処理よりも、エッジ強調の度合いが大きいことを特徴とする請求項２に記載の印刷装置。
【請求項４】
前記インクリボンには、複数色のインクが面順次に塗布されており、前記用紙に対して、同じ画像データに基づくインクの転写を、同じ色のインクについて２回行う場合には、前記複数色のインクそれぞれについて、同じ色のインクの転写を２回行うことを特徴とする請求項１ないし３のいずれか１項に記載の印刷装置。
【請求項５】
前記画像処理手段は、前記画像データに対して前記画像処理を施した後に、前記複数色のインクの各色に対応するパルスデータに変換し、前記サーマルヘッドは、前記パルスデータに基づいて、インクを転写させることを特徴とする請求項４に記載の印刷装置。
【請求項６】
前記画像処理パラメータは、前記エッジ強調処理におけるエッジ部分の信号値を増幅させる量を決めるためのパラメータであり、２回目以降の転写のために用いられる画像処理パラメータは、信号値を増幅させる量が１回目の転写よりも小さくなる画像処理パラメータであることを特徴とする請求項１ないし５のいずれか１項に記載の印刷装置。
【請求項７】
前記画像処理パラメータは、前記エッジ強調処理において、前記画像データの画素とその周辺の画素に適応させるフィルタ係数であり、１回目の転写よりも２回目以降の転写で適応されるフィルタ係数のほうが、絶対値が小さいことを特徴とする請求項１ないし５のいずれか１項に記載の印刷装置。
【請求項８】
画像データに基づいて、インクリボンに塗布されたインクを用紙に転写させることにより画像を印刷する印刷装置の制御方法であって、
画像データに対して、画像データのエッジ部分を強調するためのエッジ強調処理を含む画像処理を行う画像処理工程と、
前記画像処理工程で画像処理が施された画像データに基づいて、インクリボンに塗布されたインクを用紙に転写させる印刷工程とを有し、
前記用紙に対して、同じ画像データに基づくインクの転写を、同じ色のインクについて少なくとも２回以上行う場合に、２回目以降の転写の際には、前記画像処理工程において前記画像データに対して１回目の転写の際と異なる画像処理パラメータを用いて画像処理を行うことを特徴とする印刷装置。
【請求項９】
請求項１に記載の印刷装置の各手段をコンピュータに実行させるためのプログラム。
【請求項１０】
請求項１に記載の印刷装置の各手段をコンピュータに実行させるためのプログラムを記憶するコンピュータが読み取り可能な記憶媒体。
【発明の詳細な説明】
【技術分野】
【０００１】
本発明は、インクリボンのインクを転写して画像を印刷する印刷装置に関する。
【背景技術】
【０００２】
近年、デジタルカメラで得られた画像データから、簡単に印画物を得るための印刷装置が普及している。
【０００３】
従来、これらの印刷装置では、高画質な画像記録が得られる方法として、サーマルヘッドを用いる熱転写記録方法が用いられている。サーマルヘッドはライン状に複数の発熱素子が配列されており、これらの発熱素子を選択的に通電し記録用紙にインクリボンに塗布されて保持されている染料を転写することにより、記録用紙に印画が行われる。
【０００４】
また、これらの印刷装置では、印画後の画像の保護を目的としてあらかじめ、インクリボンに準備されたオーバーコート層を印画後の画像上に引き続いて転写することにより、画像上にオーバーコート層を形成することが行われている。
【０００５】
また、高画質な印刷のためには印画濃度を高くすることが求められており、このために、記録用紙に同じ色のインクを二度転写させる技術がある（特許文献１参照）。
【先行技術文献】
【特許文献】
【０００６】
【特許文献１】特開２００７−２７６２５９公報
【発明の概要】
【発明が解決しようとする課題】
【０００７】
しかしながら、上述の従来技術では、同じ色を二度転写させると、画像によっては好ましくない、強すぎる鮮鋭度になってしまうことがあった。
そこで、本発明の目的は、同じ色を二度転写させる場合に、印画濃度が高い高画質な画像記録が得られるとともに、例えば、画像のエッジ部分での過度な強調等の、過度な画像処理の回避を可能にした印刷装置を提供することである。
【課題を解決するための手段】
【０００８】
上述の課題を解決するため、本発明の印刷装置は、
画像データに基づいて、インクリボンに塗布されたインクを用紙に転写させることにより画像を印刷する印刷装置であって、画像データに対して、画像データのエッジ部分を強調するためのエッジ強調処理を含む画像処理を行う画像処理手段と、前記画像処理手段により画像処理が施された画像データに基づいて、インクリボンに塗布されたインクを用紙に転写させるサーマルヘッドと、前記用紙に対して、同じ画像データに基づくインクの転写を、同じ色のインクについて少なくとも２回以上行う場合に、２回目以降の転写の際には、前記画像データに対して１回目の転写の際と異なる画像処理パラメータを用いて前記画像処理手段により画像処理を行うように制御する制御手段と、を有することを特徴とする。
【発明の効果】
【０００９】
本発明によれば、同じ色を二度転写させる場合に、印画濃度が高い高画質な画像記録が得られるとともに、過度な画像処理の回避を可能にした印刷装置を提供することができる。
【図面の簡単な説明】
【００１０】
【図１】第１の実施形態における、一度目の転写と二度目の転写それぞれにおけるエッジ強調方法の模式図
【図２】プリンタ本体の構成を示す図
【図３】プリンタ本体の外観を示す図
【図４】第１の実施形態における、プリンタ本体を構成する各手段のブロック図
【図５】インクリボンの構成を示す図
【図６】用紙カセットの構成を示す図
【図７】第１の実施形態における、プリンタ動作シーケンスを示す図
【図８】第１の実施形態における、印加パルス制御のブロック図
【図９】第１の実施形態における、γ変換の説明を示す図
【図１０】第１の実施形態における、エッジ強調処理を示す図
【図１１】用紙の層構成を示す図
【図１２】フィルタ係数に対するエッジ強調メカニズムを示す図
【図１３】第２の実施形態における、プリンタ本体を構成する各手段のブロック図
【図１４】第２の実施形態における、プリンタ動作シーケンスを示す図
【発明を実施するための形態】
【００１１】
以下に、本発明の好ましい実施の形態を、添付の図面に基づいて詳細に説明する。図１は、本発明の実施形態にかかわるサーマルプリンタの動作シーケンス図である。
【００１２】
（第１の実施形態）
以下、図２を参照して、本発明に係る第１の実施形態によるプリンタの構成について説明する。尚、図は一例として昇華型プリンタの構成を挙げており、本発明が適用される範囲はこれに限られたものではない。
【００１３】
本実施形態におけるプリンタ装置本体１において、熱転写プリントの熱源装置として、ヘッド２が配設されている。ヘッド２にはプラテンローラ３側の面の回路基板上に複数個の発熱体がライン上に設けられている。プラテンローラ３がそのライン上に並んだ発熱体に対向して圧接され、回動可能なようにその両端が支持されている。また、ヘッド２には温度を読み取るセンサも含まれている。
【００１４】
印刷動作時、被記録材４（記録用紙）およびインクリボン５は、ヘッド２とプラテンローラ３により圧接狭持されている。ヘッド２の発熱体が発熱することにより、インクリボン５上に塗布されたインクが被記録材４上に転写されて、ラインごとに、プリントが行われる。尚、インクリボン５は染料層塗布面と保護膜塗布面、各面の境界を示すマーカから構成されている。被記録材４はグリップローラ８およびピンチローラ９からなるローラ対によって圧接狭持され、プリント動作時はグリップローラ８の回転により図示Ｘ方向に搬送される。また同時に巻取りボビン１０の軸が回転し、巻き取り動作を行う。インクリボン５が巻かれたシート供給ボビン１１からインクが引き出され、方向Ｘに搬送され、巻取りボビン１０により巻き取られる。尚、インクリボン５とシート供給ボビン１１、巻き取りボビン１０は筐体の形でインクカセット７の中に収納される。
【００１５】
被記録材４およびインクリボン５がそれぞれ方向Ｘに搬送されるのに同期して、ヘッド２の発熱体が、繰り返し発熱することによりライン状の画像が用紙搬送方向に転写されて１枚の画像が形成される。  マーカセンサ１２では印画前にインクリボン５上のマーカの通過を検知し、どの色での印画が始まるかを読み込む。
【００１６】
次に、図３を用いて、図２で示されたプリンタの外観の一例をあらわす。３１の側面ドアを開け、インク挿入口３４からインクカセット７を挿入する。被記録材４は後述の用紙カセット６０に装填され、３５の用紙カセット挿入口蓋を開けることにより挿入される。３６はメディア挿入手段であり、印画したい画像のデータが記録されたメディアを挿入することができる。３２は表示手段であり、電源部が起動されるとプリンタ本体のステータスが表示される。ステータスとは、メディア挿入手段３６に挿入されたメディアに記録された画像データの有無、印画記録媒体挿入有無などが挙げられる。３３は操作手段であり、電源のＯＮ／ＯＦＦ、画像の選択、印刷設定、印刷コマンド送信が可能である。
【００１７】
次に、図４を用いて本実施形態のプリンタ本体を構成する各手段のブロック図について説明する。図４の各ブロックは、不図示の全体制御部４０により制御される。全体制御部は、不図示のプログラムメモリから読み出したソフトウエアプログラムに基づいて各ブロックを制御し、後述の各処理を実行させる。
【００１８】
４１はヘッド制御手段であり、ヘッド２の駆動を制御する。４２は記憶手段であり、動作時の各部材の駆動に関する情報を記憶する。また、記憶手段４２では、用紙カセット６０の抜き差しがあった場合にその旨を記憶することができる。第１の画像処理手段４３、第２の画像処理手段４９は、それぞれ、画像処理の種類に応じた画像処理パラメータを用いて画像処理を実行する。４３の第１の画像処理手段において、印画したい画像データの色再現性を補正し、ＲＧＢベースからＣＭＹベースに変換する。４９の第２の画像処理手段において、第１画像処理手段４３から受け取ったＣＭＹベースの画像データを、階調性制御のルックアップテーブルならびにヘッド２とプリンタ装置本体１の内部温度に応じて転写に必要なパルス数のパルスデータに演算する。４４はモータであり、４５のモータ制御手段により駆動される。モータ４４の駆動により巻取り手段４６が機能し、インクリボン５が巻き取られる。４７はセンサ制御手段であり、マーカセンサ１２の駆動を制御する。４８は本体内温度センサであり、印刷動作中のプリンタ装置本体１の内部温度を読み取る。
【００１９】
次に、図５を用いてインクリボン５の構成について説明する。５１は染料層塗布面であり、複数色（イエロー、マゼンタ、シアン）の面を有している。５２は保護膜塗布面（オーバーコート）であり、１枚の画像について染料層塗布面５１の転写が全て終了したのち転写される。このように、イエロー、マゼンタ、シアン、オーバーコートの順で、インクが面順次に塗布されている。５３は先頭マーカであり、一枚の画像について最初の染料層塗布面（イエロー）の転写開始位置を検知するのに用いられる。５４はマーカであり、２番目以降の染料層塗布面（マゼンタ、シアン）、保護膜塗布面５２の転写位置を検知するのに用いられる。
【００２０】
次に、図６を用いて用紙カセットの構成について説明する。６０は用紙カセット本体、６１は排紙トレイであり、印刷が完了した被記録材４が排紙された際の受け皿となりストックさせる機能を持つ。６２は蓋であり、これを開くことで被記録材４を用紙カセット６０に装填することができる。
【００２１】
以上の構成からなるプリンタにおける動作シーケンスについて、図７を用いて説明する。Ｓ７０１にて表示手段３２ならびに操作手段３３を介してユーザが印刷に関する設定を行う。ここで、同じ色のインクを複数回重ねて転写させる方式での出力か、各色とも一度のみ転写させる方式での出力かを選択することができ、選択結果は記憶手段４２に記憶される。Ｓ７０２にて印刷ボタンが押下されたのち、第１画像処理手段４３において、入力画像データの色再現性を補正し、補正後のデータを記憶手段４２に記憶させる。Ｓ７０４にて被記録材４の転写開始位置がヘッド２の位置にくるよう、被記録材４が搬送される。Ｓ７０５にてマーカセンサ１２が先頭マーカ５３を検知するまでインクリボン５を巻き取る。Ｓ７０６にて画像処理手段４３が記憶手段４２に保有されている第１のエッジ強調パラメータを参照する。Ｓ７０７にて、第１のエッジ強調パラメータと転写直前のヘッド２ならびに本体内温度センサ４８での検出温度を反映して、Ｙｅｌｌｏｗ面転写時画像中の各画素へ印加させるパルス数を演算する。Ｓ７０８にて、Ｓ７０７での演算結果を反映したパルス数を各画素に印加して、Ｙｅｌｌｏｗ面を転写させる。Ｓ７０９にて、第１のエッジ強調パラメータと転写直前のヘッド２ならびに本体内温度センサ４８での検出温度を反映して、Ｍａｇｅｎｔａ面転写時画像中の各画素へ印加させるパルス数を演算する。Ｓ７１０にて、Ｓ７０９での演算結果を反映したパルス数を各画素に印加して、Ｍａｇｅｎｔａ面を転写させる。Ｓ７１１にて、第１のエッジ強調パラメータと転写直前のヘッド２ならびに本体内温度センサ４８での検出温度を反映して、Ｃｙａｎ面転写時に画像中の各画素へ印加させるパルス数を演算する。Ｓ７１２にて、Ｓ７１１での演算結果を反映したパルス数を各画素に印加して、Ｃｙａｎ面を転写させる。Ｓ７１３にて、Ｓ７０１で選択された転写方式を記憶手段４２から参照し、各色とも一度のみ転写させる方式であった場合は、Ｓ７２２にてオーバーコート面の転写で各画素に与えるパルス数を演算する。Ｓ７２３にて、Ｓ７２２での演算結果を反映したパルス数を各画素に印加して、オーバーコート面を転写させる。Ｓ７１３にて、Ｓ７０１で選択された転写方式が同じ色のインクを複数回重ねて転写させる方式の出力方式であった場合、Ｓ７１４にて、インクリボン５における次の先頭マーカ５３をマーカセンサ１２が検知するまでインクリボン５を巻き取る。Ｓ７１５にて、画像処理手段４３が記憶手段４２に保有されている第２のエッジ強調パラメータを参照する。Ｓ７１６にて、第２のエッジ強調パラメータと転写直前のヘッド２ならびに本体内温度センサ４８での検出温度を反映して、Ｙｅｌｌｏｗ面転写時画像中の各画素へ印加させるパルス数を演算する。Ｓ７１７にて、Ｓ７１６での演算結果を反映したパルス数を各画素に印加して、Ｙｅｌｌｏｗ面を転写させる。Ｓ７１８にて、第２のエッジ強調パラメータと転写直前のヘッド２ならびに本体内温度センサ４８での検出温度を反映して、Ｍａｇｅｎｔａ面転写時画像中の各画素へ印加させるパルス数を演算する。Ｓ７１９にて、Ｓ７１８での演算結果を反映したパルス数を各画素に印加して、Ｍａｇｅｎｔａ面を転写させる。Ｓ７２０にて、第２のエッジ強調パラメータと転写直前のヘッド２ならびに本体内温度センサ４８での検出温度を反映して、Ｃｙａｎ面転写時に画像中の各画素へ印加させるパルス数を演算する。Ｓ７２１にて、Ｓ７２０での演算結果を反映したパルス数を各画素に印加して、Ｃｙａｎ面を転写させる。Ｙｅｌｌｏｗ面、Ｍａｇｅｎｔａ面、Ｃｙａｎ面の転写が複数回完了したのち、Ｓ７２２でのオーバーコート面印加パルス演算Ｓ７２３でのオーバーコート面転写を実行する。Ｓ７２４にて他の印刷対象画像が存在するか否かを、Ｓ７０１での印刷設定結果を参照して判別し、存在しない場合はプリンタ装置本体１動作を終了し、存在する場合はＳ７０３の画像処理にもどり、一連の動作を繰りかえす。
【００２２】
次に、図８〜図１０を用いて、Ｓ７０７、Ｓ７０９、Ｓ７１１、Ｓ７１６、Ｓ７１８、Ｓ７２０での各階調に与える印加パルス数を演算させる方法について説明する。図８は、第１の画像処理手段４３と第２の画像処理手段４９が実行する、画像データ入力からパルス出力までのフローを示すブロック図である。Ｓ８０１では、ＲＧＢ形式の画像データがＣＭＹ形式に変換されたものを用いて、ＣＭＹの各色入力階調数に対応するパルス値（パルスデータ）を求めるγ変換を実行する。図９は、このγ変換方法を説明する図であり、これを用いてＳ８０１でのＣＭＹ各色入力階調数に対する算出パルス値の関係について説明する。記憶手段４２に記憶されている、各面転写直前のヘッド２ならびに機内温度センサ４８の温度に応じて決定される最大入力階調数Ｐｍａｘと、ゼロ階調数Ｐｍｉｎとを求める。ここで、最大入力階調数Ｐｍａｘは、各色とも入力階調数の範囲が０〜２５５であるとき、２５５である画素に与えるパルスであり、ゼロ階調数Ｐｍｉｎとは、各色とも入力階調数の範囲が０〜２５５であるとき、０である画素に与えるパルスである。次に、記憶手段４２から、各入力階調に対する階調性を制御するＬｏｏｋＵｐＴａｂｌｅであるＬｕｔ＿ｎ［ｉ］を参照する。なお、ｎはＹｅｌｌｏｗ、Ｍａｇｅｎｔａ、Ｃｙａｎ、オーバーコートを示し、面ごとに異なる値を持つ。また、ｉは入力階調値を示し、０から２５５までの整数値をとる。ＰｍａｘとＰｍｉｎの間で式（１）に示す演算式を用いて、各色とも入力階調数０〜２５５までの各値に与えるパルス数をもとめる。
【００２３】
【数１】
2015074092.tif 000003
【００２４】
式（１）で求められたパルス数は、Ｓ８０２にてエッジ強調処理により補正される。図１０（ａ）はＳ８０２のエッジ強調における処理フローのブロック図であり、図１０（ｂ）はヘッド方向ならびに用紙方向と、注目画素ならびにその周辺画素の関係を示す図であり、図１０（ｃ）は注目画素ならびにその周辺画素のフィルタ係数を示す。Ｓ１００１にて、注目画素とその周辺画素の入力パルス値に対して図１０（ｃ）に示すフィルタ係数を乗算させる。画像データを構成する全画素を注目画素として演算を行い、エッジ部分の検出が行われる。なお、フィルタ係数ｋ１〜ｋ４の関係は式（２）に示す。
ｋ１＋２×ｋ２＋２×ｋ３＋４×ｋ４＝０      ・・・式（２）
【００２５】
また、入力階調値に対しＳ１００２にてゲイン値を乗算させる。ここでのゲイン値は入力階調値に応じて増幅させる量を決めるものであり、エッジ部分の階調値変化が高階調から低階調への変化である場合と、低階調から高階調への変化である場合とで異なる値を設定することが可能である。
【００２６】
Ｓ１００１でのフィルタ係数乗算結果とＳ１００２でのゲイン値乗算結果を加算したものが出力値となる。
【００２７】
以上の構成からなる印刷装置について、同じ色のインクを複数回転写させる出力方式が選択された場合の、一度目（一回目）の転写時おけるエッジ強調具合と二度目以降（二回目以降）の転写時におけるエッジ強調具合の大小関係について、図１を用いて説明する。
【００２８】
図１は、一度目の転写と二度目の転写それぞれにおけるエッジ強調方法の模式図である。
【００２９】
Ｓ１００１でのフィルタ係数を一度目の転写時と二度目の転写時とで同一値を適用した場合、Ｓ１００２でのゲイン値乗算においては、一度目の転写時に入力階調値に対して乗算させるゲイン値より、全入力値において二度目の転写時に入力階調値に対して乗算させるゲイン値を小さく設定する。このことにより、エッジ部分の高階調側と低階調側のエッジ強調後の階調差を二度目の転写時より一度目の転写時にて大きくさせる。この差別化の必要性について、転写時の原理をもとに図１１を用いて説明する。エッジ部分の鮮鋭度を上げるためには、図１に示すような信号値の増幅が必要である。エッジ部分の高階調側における信号値の増幅には、インクリボン５をより一層被記録材４に浸透させる必要がある。図１１は、被記録材４の断面層構造を示す図であり、図中の受容層部分がよりインクリボン５を染み込ませる能力を有する必要がある。本実施形態において同じ色を２回以上回転写させる場合、転写を重ねれば重ねるほど受容層部分のインクリボン５を染み込ませる能力が低下する。そのため、エッジ部分の鮮鋭度アップ能力は二度目の転写時よりも一度目の転写時の方が高い。したがって、複数回転写させることにより鮮鋭度が強すぎてしまうのを回避するためには、ゲイン値を一度目の転写用と二度目の転写用とで異なるものを持たせる。さらに、エッジ部分の鮮鋭度を保つためには一度目の転写時に用いるゲイン値を二度目の転写時に用いるゲイン値よりも高くすることにより、エッジの鮮鋭度を保ちつつ、鮮鋭度が強すぎてしまうのを防ぐことができる。
【００３０】
また、同じ色を複数回転写させるうえで、一度目の転写時におけるエッジ強調具合を二度目の転写時におけるエッジ強調具合より強めるもう一つの理由として、転写を重ねることにより発生しやすくなる「レジずれ」がある。レジずれとは、複数面を転写させる場合に転写開始位置が各面で完全に一致しないために出力画像が色ずれして見える現象である。レジずれの発生リスクは、一度目の転写時より二度目の転写時の方が高い。レジずれにより、Ｓ１００１で検出された本来強調されるべきエッジ部分がなまった状態で出力されることがある。したがって、強調させたいエッジ部分を一度目の転写時よりもよりレジずれが発生しやすい二度目の転写時に強調させても所望の鮮鋭度を得られないことが起こりうる。一度目の転写時に強調できるだけしておき、二度目の転写時にレジずれが発生してもある程度の鮮鋭感を維持する必要がある。そのため、一度目の転写時に二度目の転写時よりも強調させる設定にするのがよい。
【００３１】
なお、エッジ強調は、ゲイン値を図１に示す大小関係で制御するほかに、Ｓ１００１でのフィルタ係数設定において制御することも可能である。フィルタ係数の絶対値が大きい値であるほどエッジ部分での高階調側画素の乗算後の値が高くなり、低階調側画素の乗算後の値が低くなる。この理論について、エッジ部分の入力階調値が１００と３０であり、それぞれの画素に乗算されるゲイン値が各々１．５と２．０である場合を一例として、図１２（ａ）、図１２（ｂ）を用いて説明する。図１２（ａ）と図１２（ｂ）の違いは、各々の画素に乗算されるフィルタ係数の絶対値が異なり、図１２（ａ）の場合のフィルタ係数の絶対値が図１２（ｂ）の場合よりも大きい。同じゲイン値であれば、フィルタ係数の絶対値が大きい場合のほうが、小さい場合に比べ高階調側の入力値の増幅が大きくなり、低階調側の入力値の減少量が大きくなり、エッジ部分の階調値段差が急峻となるためである。したがって、エッジ部分を強調させたい場合にはフィルタ係数の絶対値を大きい値に設定することで強調が可能になる。また、同時に一度目に乗算させるフィルタ係数と二度目に乗算させるフィルタ係数に差別化を設ける。つまり、二度目、または、二度目以降に適応させるフィルタ係数の絶対値を一度目よりも小さくさせることで、エッジ強調の度合いが小さくなり、鮮鋭度が強くなりすぎてしまうことを回避できる。
【００３２】
（第２の実施形態）
以下、図１３〜図１４を用いて、第２の実施形態について説明する。なお、ここでは第１の実施形態と重複する部分については説明を割愛する。
【００３３】
図１３を用いて、第２の実施形態にかかわる、プリンタ本体を構成する各手段のブロック図について説明する。１３０１は、画像評価手段であり、入力された画像のエッジ強調度合を決定する。同じ色を複数回転写させるうえで、画像全体的に鮮鋭度を強めたい画像、画像の一部分の鮮鋭度を強めたい画像、画像全体的に鮮鋭度を強めたくない画像の３種類に大別する。
【００３４】
次に、図１４を用いて第２の実施形態にかかわる、プリンタ装置本体１の動作シーケンスについて説明する。
【００３５】
Ｓ１４１４で画像評価手段１３０１が印刷対象画像のエッジ強調度合の必要性を評価し、画像全体的にエッジを強調したくない画像か否かを判別する。たとえば、エッジを強調させたくない画像のパターンとしては、人物の顔がメインに映っている画像などがあげられる。ここでの評価方法として、エッジを強調させたくない部分を示す特徴量の存在有無を評価し、該当特徴量の部分が画像全体において占める割合を求め、所定以上の割合で存在する場合はその画像を全体的にエッジを強調させたくない画像とする。画像を全体的に強調したくない画像である場合は、Ｓ１４１５にて二度目の転写時に用いるエッジ強調パラメータを一度目の転写時に用いたものと異なる第２のエッジ強調パラメータを記憶手段４２から参照する。Ｓ１４１４での判別結果が否とされた場合、Ｓ１４２５において印刷対象画像の一部のエッジを強調させたいものか、画像全体を強調したいものかを判別する。印刷対象画像の一部のエッジを強調させたい画像とは、エッジを強調させたくない部分を示す特徴量が存在し、その部分の画像全体にて占める割合が所定以下である画像と定義する。ここでは印刷対象画像の一部のエッジを強調させたい画像である場合、二度目の転写時において強調させたい部分には一度目の転写時に用いた第１のエッジ強調パラメータを、強調させたくない部分には第２のエッジ強調パラメータを適用させる（Ｓ１４２６）。エッジを強調させたくない部分が画像中に存在しない場合のように、印刷対象画像全体的にさらにエッジを強調させたい場合は、一度目の転写時に用いたエッジ強調パラメータを参照する（Ｓ１４２７）。第１の実施形態と同様、第１のエッジ強調パラメータ適用によるエッジ部分の高階調側の階調値と低階調側の階調値の差分は、第２のエッジ強調パラメータ適用によるものよりも大きい。
【００３６】
（その他の実施形態）
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００３７】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００３８】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００３９】
その場合、プログラムの機能を有していれば、オブジェクトコード、インタプリタにより実行されるプログラム、ＯＳに供給するスクリプトデータ等、プログラムの形態を問わない。
【００４０】
プログラムを供給するための記録媒体としては、例えば、ハードディスク、磁気テープ等の磁気記録媒体、光／光磁気記憶媒体、不揮発性の半導体メモリでもよい。
【図１】
2015074092.tif 000004
【図２】
2015074092.tif 000005
【図３】
2015074092.tif 000006
【図４】
2015074092.tif 000007
【図５】
2015074092.tif 000008
【図６】
2015074092.tif 000009
【図７】
2015074092.tif 000010
【図８】
2015074092.tif 000011
【図９】
2015074092.tif 000012
【図１０】
2015074092.tif 000013
【図１１】
2015074092.tif 000014
【図１２】
2015074092.tif 000015
【図１３】
2015074092.tif 000016
【図１４】
2015074092.tif 000017